(57)【特許請求の範囲】
【請求項１】
音または画像を表す素片データを複数の素片の各々について記憶する記憶手段と、
複数の単位図柄を環状に配置した素片環を表示装置に表示する表示制御手段と、
前記各単位図柄に素片を割り当てる素片割当手段と、
前記各単位図柄に割り当てられた素片の素片データを前記素片環における前記複数の単位図柄の配列の順番に再生する再生手段と
を具備する再生装置。
【請求項２】
前記記憶手段は、前記複数の素片の各々について音または画像の特徴量を記憶し、
前記表示制御手段は、前記素片割当手段が素片を割り当てた単位図柄を、当該素片の特徴量に応じた態様で前記表示装置に表示する
請求項１の再生装置。
【請求項３】
前記表示制御手段は、単位図柄を指示する指示体を前記表示装置の所定の位置に表示し、前記再生手段による再生中の素片に対応した単位図柄を前記指示体が指示するように、前記複数の単位図柄を各々の配列に沿って移動させる
請求項１または請求項２の再生装置。
【請求項４】
前記表示制御手段は、単位図柄を指示する指示体を前記表示装置に表示し、前記再生手段による再生中の素片に対応した単位図柄を前記指示体が指示するように、当該指示体を前記複数の単位図柄の配列に沿って移動させる
請求項１または請求項２の再生装置。
【請求項５】
前記表示制御手段は、複数の素片環を前記表示装置に表示し、
前記素片割当手段は、前記複数の素片環の各々における各単位図柄に素片を割り当て、
前記再生手段は、前記複数の素片環の各々における各単位図柄に対応した素片の素片データを、当該素片環における各単位図柄の配列の順番で、前記複数の素片環について並行して再生する
請求項１から請求項４の何れかの再生装置。
【請求項６】
前記表示制御手段は、楽曲を区分した各素片に対応する複数の素片図柄を配列した素片列を楽曲毎に前記表示装置に表示し、
前記素片割当手段は、前記複数の素片列のなかから利用者が指定した素片図柄に対応する素片を、利用者が指定した前記単位図柄に割り当てる
請求項１から請求項５の何れかの再生装置。
【請求項７】
音または画像を表す素片データを複数の素片の各々について記憶する記憶手段を具備するコンピュータに、
複数の単位図柄を環状に配置した素片環を表示装置に表示する表示制御処理と、
前記各単位図柄に素片を割り当てる素片割当処理と、
前記各単位図柄に割り当てられた素片の素片データを前記素片環における前記複数の単位図柄の配列の順番に再生する再生処理と
を実行させるプログラム。
【発明の詳細な説明】
【技術分野】
【０００１】
本発明は、音や画像を再生する技術に関する。
【背景技術】
【０００２】
音や画像を表す複数の素片を時系列に配列して再生する技術が従来から提案されている。例えば特許文献１には、伴奏や旋律の複数の演奏音のなかから利用者が選択した素片を順番に配列および再生する作曲装置が開示されている。利用者が選択した素片に対応する図柄（アイコン）が表示装置に表示される。各図柄は左方から右方に向けて直線状に配列する。
【特許文献１】特開２０００−２１４８５３号公報
【発明の開示】
【発明が解決しようとする課題】
【０００３】
特許文献１の技術においては各素片に対応した複数の図柄が直線的に配置される。したがって、複数の素片で構成される区間が反復的に再生（ループ）される場合であっても、当該区間が反復されることを利用者が直感的に把握できないという問題がある。以上の事情に鑑みて、本発明は、複数の素片の反復的な再生を利用者が直感的に認識できるように各図柄を表示するという課題の解決をひとつの目的としている。
【課題を解決するための手段】
【０００４】
以上の課題を解決するために、本発明に係る再生装置は、音または画像を表す素片データを複数の素片の各々について記憶する記憶手段と、複数の単位図柄を環状に配置した素片環を表示装置に表示する表示制御手段と、各単位図柄に素片を割り当てる素片割当手段と、各単位図柄に割り当てられた素片の素片データを素片環における複数の単位図柄の配列の順番に再生する再生手段とを具備する。
【０００５】
以上の構成によれば、素片を割り当てる単位図柄が環状に配置されるとともに複数の素片の素片データが単位図柄の配列の順番に再生されるから、複数の素片の反復的な再生を利用者が直感的に認識できるという利点がある。
【０００６】
本発明の好適な態様において、記憶手段は、複数の素片の各々について音または画像の特徴量を記憶し、表示制御手段は、素片割当手段が素片を割り当てた単位図柄を、当該素片の特徴量に応じた態様で表示装置に表示する。以上の態様によれば、素片の特徴量に応じた態様で単位図柄が表示されるから、各単位図柄に割り当てられた素片の特徴を利用者が直感的に把握することができる。
【０００７】
さらに好適な態様において、表示制御手段は、単位図柄を指示する指示体を表示装置の所定の位置に表示し、再生手段による再生中の素片に対応した単位図柄を指示体が指示するように、複数の単位図柄を各々の配列に沿って移動させる。別の態様において、表示制御手段は、単位図柄を指示する指示体を表示装置に表示し、再生手段による再生中の素片に対応した単位図柄を指示体が指示するように、当該指示体を複数の単位図柄の配列に沿って移動させる。以上の各態様によれば、再生手段による再生中の素片を利用者が素片環のなかから容易に把握することができる。
【０００８】
本発明の好適な態様において、表示制御手段は、複数の素片環を表示装置に表示し、素片割当手段は、複数の素片環の各々における各単位図柄に素片を割り当て、再生手段は、複数の素片環の各々における各単位図柄に対応した素片の素片データを、当該素片環における各単位図柄の配列の順番で、複数の素片環について並行して再生する。以上の態様においては、別個の素片環に対応する複数系統の素片が並列に再生されるから、多様な再生音や画像を生成することが可能である。
【０００９】
さらに好適な態様において、表示制御手段は、楽曲を区分した各素片に対応する複数の素片図柄を配列した素片列を楽曲毎に表示装置に表示し、素片割当手段は、複数の素片列のなかから利用者が指定した素片図柄に対応する素片を、利用者が指定した単位図柄に割り当てる。以上の態様によれば、各単位図柄に割り当てる所望の素片を利用者が容易に選択できるという利点がある。
【００１０】
以上の各態様に係る再生装置は、素片の再生に専用されるＤＳＰ（Digital Signal Processor）などのハードウェア（電子回路）によって実現されるほか、ＣＰＵ（Central Processing Unit）などの汎用の演算処理装置とプログラムとの協働によっても実現される。本発明に係るプログラムは、音または画像を表す素片データを複数の素片の各々について記憶する記憶手段を具備するコンピュータに、複数の単位図柄を環状に配置した素片環を表示装置に表示する表示制御処理と、各単位図柄に素片を割り当てる素片割当処理と、各単位図柄に割り当てられた素片の素片データを素片環における複数の単位図柄の配列の順番に再生する再生処理とを実行させる。以上のプログラムによっても、本発明に係る再生装置と同様の作用および効果が奏される。本発明のプログラムは、コンピュータが読取可能な記録媒体に格納された形態で利用者に提供されてコンピュータにインストールされるほか、通信網を介した配信の形態でサーバ装置から提供されてコンピュータにインストールされる。
【発明を実施するための最良の形態】
【００１１】
＜Ａ：構成＞
図１は、本発明の実施の形態に係る再生装置の構成を示すブロック図である。再生装置１００は、制御装置１０と記憶装置２０とを具備するコンピュータシステムで実現される。制御装置１０は、プログラムの実行によって様々な処理を実行するとともに再生装置１００の各部を制御する。制御装置１０には入力装置３２と表示装置３４と放音装置３６とが接続される。入力装置３２は、利用者が再生装置１００に対する指示を入力する機器（例えばマウスやキーボードといった操作部）である。表示装置３４は、制御装置１０による制御のもとに画像を表示する。放音装置３６は、制御装置１０による制御のもとに音波を出力する。
【００１２】
記憶装置２０は、制御装置１０が実行するプログラムや制御装置１０が処理する各種のデータを記憶する。半導体記憶装置や磁気記憶装置といった公知の記録媒体が記憶装置２０として任意に採用される。図１に示すように、記憶装置２０は、複数の楽曲の各々について楽曲データを記憶する。
【００１３】
図２は、楽曲の構成を示すブロック図である。楽曲には区間Ｓが画定される。区間Ｓは、例えば、楽曲のなかの特徴的な部分（例えばサビの部分）を含む複数の小節で構成される部分であり、利用者が入力装置３２を操作することで楽曲中に始点と終点とを設定することで画定される。ただし、区間Ｓの選定の仕方や区間Ｓの時間長は任意である。例えば、楽曲の全部をひとつの区間Ｓとしてもよい。
【００１４】
図２に示すように、区間Ｓは、楽曲の拍（ビート）に同期した時点を境界として複数の区間（以下「素片」という）Ｐに区分される。例えば、ひとつまたは複数の拍に相当する区間やひとつの拍を複数に区分した区間（すなわち1/2拍や1/4拍に相当する区間）が素片Ｐとされる。なお、各素片Ｐの時間長は複数の楽曲について同等の時間に調整される。
【００１５】
図１に示すように、ひとつの楽曲の楽曲データは、当該楽曲の区間Ｓに属する複数の素片Ｐの各々について、当該素片Ｐに属する楽音の波形を表す素片データＡと、当該素片Ｐの音響的な性質を反映した特徴量Ｆとを含む。楽音のエネルギ（強度）、振幅スペクトルのセントロイド、スペクトルの強度が最大となる周波数，ＭＦＣＣ（Mel-Frequency Cepstrum Coefficient）といった様々な数値が特徴量Ｆとして採用される。なお、本形態では総ての楽曲データがひとつの記憶装置２０に格納されるが、複数の楽曲データが複数の記憶装置に分散して記憶された構成や、各楽曲の素片データＡと特徴量Ｆとが別個の記憶装置に格納された構成も採用される。
【００１６】
制御装置１０は、プログラムを実行することで図１の複数の要素（表示制御部１２，素片割当部１４，再生部１６）として機能する。なお、制御装置１０の各要素はＤＳＰなどの専用の電子回路によっても実現される。また、複数の集積回路に各要素が分散して実装されてもよい。
【００１７】
再生部１６は、各素片Ｐの素片データＡを記憶装置２０から取得して順次に放音装置３６に出力する。放音装置３６は、制御装置１０から供給される各素片データＡに応じた音波を生成する。例えば、放音装置３６は、各素片データＡからアナログの信号を生成するＤ/Ａ変換器と、Ｄ/Ａ変換器が出力する信号を増幅する増幅器と、増幅器による増幅後の信号に応じた音波を出力する放音機器（スピーカやヘッドホン）とを含む。
【００１８】
表示制御部１２は、画像を生成して表示装置３４に表示させる手段である。さらに詳述すると、表示制御部１２は、図３に例示する素片選択画面５１および再生状態画面５３を表示装置３４に表示させる。
【００１９】
素片選択画面５１は、再生部１６による再生の対象となる素片Ｐを利用者が選択するための画像である。素片選択画面５１は、各楽曲に対応する複数の素片列Ｌを含む。ひとつの楽曲の素片列Ｌは、当該楽曲の各素片Ｐを示す複数の矩形状の図柄（以下「素片図柄」という）ＧPを、楽曲における各素片Ｐの時系列の順番で横方向に配列した画像である。各素片列Ｌの全長は、楽曲内の素片Ｐの総数に応じて楽曲毎に相違する。各素片列Ｌの左側には楽曲名が配置される。利用者は、入力装置３２を適宜に操作することで素片選択画面５１内の任意の素片図柄ＧPを選択することができる。
【００２０】
図３の再生状態画面５３は、各素片Ｐの再生の様子を利用者が確認するための画像である。再生状態画面５３は、作業領域５３２と操作領域５３４とで構成される。作業領域５３２にはひとつまたは複数の素片環Ｃが配置される。ひとつの素片環Ｃは、複数の円形状の図柄（以下「単位図柄」という）ＧUを円環状（円周上）に等間隔に配置した画像である。
【００２１】
図１の素片割当部１４は、素片選択画面５１にて選択された素片Ｐを再生部１６による再生の対象としてひとつの単位図柄ＧUに割り当てる。再生部１６は、各単位図柄ＧUに割り当てられた素片Ｐを、素片環Ｃにおける各単位図柄ＧUの配列の順番で順次に再生する。作業領域５３２には、各素片環Ｃのうち再生部１６が現に再生している素片Ｐに対応した単位図柄ＧUを利用者に指示する指示体Ｄが素片環Ｃ毎に配置される。
【００２２】
操作領域５３４には複数の操作子Ｂ（Ｂ1〜Ｂ5）が表示される。利用者は、入力装置３２を適宜に使用して各操作子Ｂを操作することで各種の指示を再生装置１００に入力する。例えば、各素片Ｐの再生の停止時に操作子Ｂ1が操作された場合には各素片Ｐの再生が再生装置１００に指示され、各素片Ｐの再生中に操作子Ｂ1が操作された場合には再生の停止が再生装置１００に指示される。
【００２３】
操作子Ｂ2が操作されると、表示モード（第１モード／第２モード）の切替えが制御装置１０に指示される。各表示モードの具体例については後述する。操作子Ｂ3は、新たな素片環Ｃの作成を制御装置１０に指示するための部分である。操作子Ｂ4は、作業領域５３２に作成された総ての素片環Ｃを削除するための部分である。操作子Ｂ5は、各素片Ｐの再生のテンポＴを利用者が調整するためのツマミの画像である。
【００２４】
＜Ｂ：動作＞
次に、再生装置１００の動作を説明する。図４は、制御装置１０の動作を示すフローチャートである。図４の処理は、入力装置３２に対する所定の操作を契機として開始される。同図に示すように、再生装置１００の動作は、素片環Ｃの作成（ステップＳ2〜ステップＳ4）と、各単位図柄ＧUに対する素片Ｐの割り当て（ステップＳ6〜ステップＳ8）と、各素片Ｐの再生（ステップＳ10〜ステップＳ13）とに大別される。
【００２５】
図４の処理を開始すると、表示制御部１２は、素片選択画面５１と再生状態画面５３とを表示装置３４に表示させる（ステップＳ1）。ただし、素片環ＣはステップＳ1の時点で未作成であるから、再生状態画面５３の作業領域５３２は空欄である。
【００２６】
次いで、制御装置１０は、素片環Ｃの作成を指示する操作（操作子Ｂ3の押下）が入力装置３２に付与されたか否かを判定する（ステップＳ2）。素片環Ｃの作成が指示された場合、制御装置１０は、新たな素片環Ｃを構成する単位図柄ＧUの個数を、利用者からの指示に応じて可変に設定する（ステップＳ3）。そして、表示制御部１２は、図５の部分(A)に示すように、ステップＳ3で設定した個数の単位図柄ＧUを円環状に配列した素片環Ｃと、ひとつの単位図柄ＧUを指示する指示体Ｄとを、再生状態画面５３の作業領域５３２に表示させる（ステップＳ4）。ステップＳ4の段階（すなわち、何れの単位図柄ＧUにも素片Ｐが割り当てられていない段階）では、新たに作成された素片環Ｃの総ての単位図柄ＧUは、予め選定された初期的な態様で表示される。例えば、図５の部分(A)に示すように、素片環Ｃの総ての単位図柄ＧUが白色で表示される。一方、素片環Ｃの作成が指示されない場合（ステップＳ2：NO）、制御装置１０は、ステップＳ3およびステップＳ4を経ずに処理をステップＳ5に移行する。
【００２７】
ステップＳ2からステップＳ4の処理は、少なくともひとつの素片環Ｃが作成されるまで反復される（ステップＳ5：NO）。そして、新たな素片環Ｃが作成されると（ステップＳ5：YES）、制御装置１０は、各単位図柄ＧUに対する素片Ｐの割り当てが利用者によって指示されたか否かを判定する（ステップＳ6）。なお、以下ではまず、作業領域５３２にひとつの素片環Ｃが作成された場合を想定する。
【００２８】
利用者は、素片選択画面５１内の何れかの素片図柄ＧPと再生状態画面５３の作業領域５３２内の何れかの単位図柄ＧUとを指定することで素片Ｐの割り当てを再生装置１００に指示することが可能である。素片Ｐの割り当てが指示された場合、素片割当部１４は、利用者が素片選択画面５１から選択した素片図柄ＧPに対応した素片Ｐを、利用者が作業領域５３２から選択した単位図柄ＧUに対応付ける（ステップＳ7）。なお、各素片列Ｌ（各楽曲）と素片環Ｃとの関係は任意である。例えば、ひとつの素片列Ｌの複数の素片Ｐをひとつの素片環Ｃの各単位図柄ＧUに割り当ててもよいし、別個の素片列Ｌの複数の素片Ｐをひとつの素片環Ｃの各単位図柄ＧUに割り当ててもよい。また、ひとつの素片Ｐを複数の単位図柄ＧUに重複して割り当ててもよい。
【００２９】
次いで、表示制御部１２は、ステップＳ7で素片Ｐを割り当てた単位図柄ＧUの表示の態様を、当該素片Ｐの特徴量Ｆに応じて変更する（ステップＳ8）。さらに詳述すると、本形態の表示制御部１２は、単位図柄ＧUの色相を特徴量Ｆに応じて制御する。すなわち、表示制御部１２は、特徴量Ｆの大小と波長順の色相の配列（Ｈｕｅスケール）とを対応させ、図５の部分(B)に示すように、素片Ｐが割り当てられた単位図柄ＧUの色相を、当該素片Ｐの特徴量Ｆに対応した色相に制御する。例えば、特徴量Ｆが増加するほど単位図柄ＧUは赤色に近い色相となり、特徴量Ｆが減少するほど単位図柄ＧUは紫色に近い色相となる。
【００３０】
一方、ステップＳ6にて素片Ｐの割り当てが指示されない場合、制御装置１０は、ステップＳ7およびステップＳ8を経ずに処理をステップＳ9に移行する。ステップＳ9において、制御装置１０は、作業領域５３２内の何れかの単位図柄ＧUに素片Ｐが割り当てられたか否かを判定する（ステップＳ9）。何れの単位図柄ＧUにも素片Ｐの割り当てが実行されていない場合、制御装置１０は、処理をステップＳ2に移行し、素片環Ｃの作成（ステップＳ2〜ステップＳ4）や素片Ｐの割り当て（ステップＳ6〜ステップＳ8）を反復する。
【００３１】
ひとつまたは複数の単位図柄ＧUに素片Ｐが割り当てられた場合（ステップＳ9：YES）、制御装置１０は、素片Ｐの再生の開始を指示する操作（操作子Ｂ1の押下）が入力装置３２に付与されたか否かを判定する（ステップＳ10）。素片Ｐの再生が指示された場合、再生部１６は、素片環Ｃの各単位図柄ＧUに割り当てられた素片Ｐを各単位図柄ＧUの配列の順番で順次に再生する（ステップＳ11）。
【００３２】
さらに詳述すると、再生部１６は、各単位図柄ＧUを素片環Ｃの反時計回りに順次に選択し、当該単位図柄ＧUに対応した素片Ｐの素片データＡを記憶装置２０から取得して放音装置３６に出力する。なお、素片Ｐが割り当てられていない単位図柄ＧUについては、無音を表す素片データＡが放音装置３６に出力される。放音装置３６は、再生部１６から供給される素片データＡに応じた音波を放射する。再生部１６が各素片データＡを出力する周期は、利用者が操作子Ｂ5の操作で指定したテンポＴに応じて設定される。したがって、利用者が素片選択画面５１から選択した複数の素片ＰがテンポＴで放音装置３６から再生される。
【００３３】
以上のように各素片Ｐの再生が開始すると、表示制御部１２は、再生部１６による再生中の素片Ｐに対応した単位図柄ＧUを指示体Ｄが指示するように、素片環Ｃにおける各単位図柄ＧUの配列と指示体Ｄとの相対的な関係を、再生の進行に伴なって順次に制御する（ステップＳ12）。ステップＳ12における制御の内容は、操作子Ｂ2に対する操作で利用者が選択した表示モードに応じて相違する。
【００３４】
第１モードが選択されている場合、表示制御部１２は、図６に示すように、指示体Ｄを初期的な位置に固定する一方、再生部１６による再生中の単位図柄ＧUが指示体Ｄと重なるように、素片環Ｃの複数の単位図柄ＧUを各々の配列に沿って順次に移動させる。一方、第２モードが選択されている場合、表示制御部１２は、図７に示すように、素片環Ｃの各単位図柄ＧUの位置を固定する一方、再生部１６による再生中の単位図柄ＧUが指示体Ｄに重なるように、素片環Ｃにおける複数の単位図柄ＧUの配列に沿って指示体Ｄを順次に移動させる。
【００３５】
ステップＳ11およびステップＳ12の処理は、再生の終了を指示する操作（操作子Ｂ1の押下）が入力装置３２に付与されるまで反復される（ステップＳ13：NO）。以上のように各素片Ｐの再生が順次に進行し、ひとつの素片環Ｃの総ての単位図柄ＧUについて再生が完了すると、再生部１６は、ステップＳ10にて再生が指示された直後に選択した最初の単位図柄ＧUに対応する素片Ｐから順番に再生を繰り返す。すなわち、利用者がひとつの素片環Ｃについて選択した複数の素片Ｐの配列が循環的に再生される。
【００３６】
ステップＳ10にて再生が指示されない場合、およびステップＳ13にて再生の終了が指示された場合、制御装置１０は、素片環Ｃの削除を指示する操作（操作子Ｂ4の押下）が入力装置３２に付与されたか否かを判定する（ステップＳ14）。素片環Ｃの削除が指示された場合、制御装置１０は、各単位図柄ＧUに対する素片Ｐの割り当てを解消するとともに作業領域５３２から総ての素片環Ｃを削除する（ステップＳ15）。
【００３７】
ステップＳ15の処理が完了した場合およびステップＳ14の結果が否定である場合、制御装置１０は処理をステップＳ2に移行する。ステップＳ2からステップＳ4における素片環Ｃの作成が反復されることで作業領域５３２には複数の素片環Ｃが作成される。そして、複数の素片環Ｃの各々について、単位図柄ＧUに対する素片Ｐの割り当て（ステップＳ7）および各単位図柄ＧUの態様の制御（ステップＳ8）が以上と同様に実行される。図３には、複数の素片環Ｃについて単位図柄ＧUに対する素片Ｐの割り当てが完了した場合における表示装置３４の表示例が図示されている。
【００３８】
以上のように複数の素片環Ｃが作成された場合、再生部１６は、ステップＳ11において、各素片環Ｃの単位図柄ＧUに割り当てられた素片Ｐを複数の素片環Ｃについて並行して再生する。すなわち、再生部１６は、利用者が指定したテンポＴに応じた時間毎に、複数の素片環Ｃの各々から単位図柄ＧUを配列順に選択し、選択した複数の単位図柄ＧUの各々に割り当てられた素片Ｐの素片データＡを記憶装置２０から取得して放音装置３６に並列に出力する。したがって、各々が別の素片環Ｃに割り当てられた素片Ｐで構成される複数の系列が共通のテンポＴで並列に再生される。
【００３９】
以上に説明したように、本形態においては、素片Ｐを割り当てた複数の単位図柄ＧUが環状に配列されるから、複数の素片Ｐの反復的な再生を利用者が直感的に認識できるという利点がある。また、再生中の単位図柄ＧUを指示する指示体Ｄが表示されるから、利用者は実際の再生の時点を容易に確認することができる。しかも、複数の単位図柄ＧUの配列が指示体Ｄに対して移動する第１モードと指示体Ｄが複数の単位図柄ＧUに配列に対して移動する第２モードとを利用者が任意に指定できるから、利用者の好みに合った表示モードを選択することで再生の時点の確認はさらに容易となる。
【００４０】
また、再生の対象となる素片Ｐと当該素片Ｐを割り当てる単位図柄ＧUとが、入力装置３２に対する操作に応じて任意に選択されるから、利用者の好みに合った多様な楽音を再生することが可能となる。しかも、複数の素片環Ｃが作成された場合には、各素片環Ｃに対応する素片Ｐの時系列が並列に再生されるから、ひとつの素片環Ｃしか作成できない場合と比較して多様な楽音を再生することができる。また、利用者による選択の候補となる素片Ｐに対応した素片図柄ＧPが素片選択画面５１にて楽曲毎に時系列に配列されるから、利用者は所望の素片図柄ＧPを容易に選択することができる。
【００４１】
素片環Ｃを構成する単位図柄ＧUの総数が任意に選定されるから、所望のリズムの再生音を生成することができる。また、単位図柄ＧUの総数は素片環Ｃ毎に設定されるから、各素片環Ｃの単位図柄ＧUの総数を相違させることで、別個のリズムで素片Ｐが再生される複数の系統の楽音を混合した多彩な再生音（ポリリズム）を生成することが可能である。
【００４２】
＜Ｃ：変形例＞
以上の形態には以下に例示するような様々な変形を加えることができる。なお、以下の例示から２以上の態様を任意に選択して組合わせてもよい。
【００４３】
（１）変形例１  
以上の形態においては素片Ｐの特徴量Ｆに応じて単位図柄ＧUの色相を制御したが、特徴量Ｆに応じた制御の対象は色彩に限定されない。例えば、特徴量Ｆに応じて単位図柄ＧUのサイズや形状や位置（素片環Ｃの半径方向の位置）を変化させる構成、あるいは特徴量Ｆに応じて単位図柄ＧUの明度や彩度を変化させる構成も好適である。例えば、素片Ｐ内の楽音の高域成分の強度を特徴量Ｆとし、高域成分の強度が高いほど単位図柄ＧUが三角形に近づき、高域成分の強度が低いほど単位図柄ＧUが円形に近づくように、単位図柄ＧUの辺の総数（角の総数）を特徴量Ｆに応じて制御してもよい。
【００４４】
また、素片Ｐに応じた標章（文字や図形や記号）を単位図柄ＧUに付加する構成も好適である。例えば、素片Ｐを含む楽曲を識別する符号（例えば楽曲名）と楽曲中における当該素片Ｐの番号とを単位図柄ＧUに付加して表示装置３４に表示する構成や、素片Ｐの楽音を出力する楽器の名称や図柄を単位図柄ＧUに付加して表示装置３４に表示する構成が好適に採用される。
【００４５】
さらに、ひとつの素片Ｐについて複数の特徴量Ｆを記憶装置２０に格納し、各特徴量Ｆに応じて単位図柄ＧUの複数種の態様を個別に制御する構成も好適である。例えば、第１の特徴量Ｆに応じて単位図柄ＧUの色相を制御し、第２の特徴量Ｆに応じて単位図柄ＧUの形状を制御し、第３の特徴量Ｆに応じて単位図柄ＧUの明度を制御するといった具合である。
【００４６】
（２）変形例２  
単位図柄ＧUと素片Ｐとの対応の関係は以上の例示に限定されない。例えば、以上の形態においては、素片環Ｃ内のひとつの単位図柄ＧUにひとつの素片Ｐを割り当てたが、ひとつの単位図柄ＧUに複数の素片Ｐを対応させてもよい。さらに具体的には、単位図柄ＧUの配列を階層的に表示する構成が好適に採用される。例えば、図８に例示する素片環Ｃの単位図柄ＧU_aに複数の素片Ｐが割り当てられた場合を想定する。再生部１６が再生の対象として単位図柄ＧU_aを選択すると、表示制御部１２は、当該単位図柄ＧU_aの近傍に素片環Ｃ2を表示させる。素片環Ｃ2は、単位図柄ＧU_aに割り当てられた各素片Ｐに対応する複数の単位図柄ＧU2を円環状に配列した画像である。素片環Ｃ2についても、各単位図柄ＧU2の態様の制御（図４のステップＳ8）や指示体Ｄ2による指示（図４のステップＳ12）が、素片環Ｃと同様に実行される。
【００４７】
また、以上の形態においては、利用者が選択した素片Ｐを各単位図柄ＧUに固定的に割り当てたが、各単位図柄ＧUに対応する素片Ｐを経時的に変化させる構成も採用される。例えば、単位図柄ＧUに割り当てられた素片Ｐに特徴量Ｆが類似する別の素片Ｐを記憶装置２０から選択する手段を制御装置１０に搭載し、各素片Ｐを再生している期間内の所定の時間毎に（または入力装置３２に対する操作を契機として）、各単位図柄ＧUに割り当てられる素片Ｐを、当該素片Ｐに類似する他の素片Ｐに置換する。以上の構成によれば、放音装置３６から再生される楽音を経時的に多様に変化させることが可能となる。
【００４８】
（３）変形例３  
単位図柄ＧUに割り当てる素片Ｐを確定する前に、素片図柄ＧPに対応した素片Ｐを利用者が試聴できる構成も採用される。すなわち、利用者が素片選択画面５１内の何れかの素片図柄ＧPを入力装置３２で指定すると、制御装置１０（再生部１６）は、当該素片図柄ＧPに対応した素片Ｐの素片データＡを放音装置３６に出力する。同様に、複数の素片Ｐの再生に先立って、各単位図柄ＧUに割り当てられた素片Ｐを利用者が試聴できる構成も好適である。すなわち、既に素片Ｐが割り当てられた単位図柄ＧUを利用者が入力装置３２で選択すると、制御装置１０（再生部１６）は、当該素片Ｐの素片データＡを放音装置３６に出力する。以上の構成によれば、各素片Ｐの実際の再生音を随時に確認しながら利用者が素片Ｐを選択できる。したがって、所望の雰囲気を持った素片Ｐの配列を容易に作成することが可能となる。
【００４９】
（４）変形例４  
以上の形態では素片環Ｃ内で複数の単位図柄ＧUを等間隔に配置したが、各素片Ｐの再生のリズムに応じて単位図柄ＧUの位置を調整してもよい。例えば、単位図柄ＧUを基準位置から素片環Ｃの周方向に移動させることで、当該単位図柄ＧUに対応した素片Ｐの再生の時期を前後させる構成が好適である。すなわち、利用者が入力装置３２を操作することで単位図柄ＧUを基準位置から時計回りに移動すると、制御装置１０（再生部１６）は、当該単位図柄ＧUに割り当てられた素片Ｐの再生の時期を単位図柄ＧUの移動量に応じて早め、単位図柄ＧUを基準位置から反時計回りに移動すると、制御装置１０は、当該単位図柄ＧUに割り当てられた素片Ｐの再生の時期を単位図柄ＧUの移動量に応じて遅延させる。以上の構成によれば、各単位図柄ＧUを視認しながら複雑なリズムを容易に作成できるという利点がある。
【００５０】
（５）変形例５  
指示体Ｄの形態は任意である。例えば、再生中の単位図柄ＧUの態様を他の素片図柄ＧPの態様とは異ならせて強調する画像（例えば単位図柄ＧUが弾けた様子を示す画像）を指示体Ｄとして再生中の単位図柄ＧUに重ねて表示する構成や、再生中の単位図柄ＧUを指し示す矢印を指示体Ｄとして単位図柄ＧUの近傍に表示する構成も採用される。
【００５１】
また、素片選択画面５１に表示された複数の素片図柄ＧPのうち再生部１６による再生中の素片Ｐに対応した素片図柄ＧPを指示する指示体が素片選択画面５１に表示される構成も好適である。素片図柄ＧPを指示する指示体としては、前述の指示体Ｄと同様に、再生中の素片図柄ＧPの態様を他の素片図柄ＧPとは相違させて強調する画像（例えば各素片図柄ＧPとは異なる色彩の画像）や再生中の素片図柄ＧPを指し示す矢印の画像が採用される。
【００５２】
（６）変形例６  
以上の形態においては、複数の素片環Ｃの各々に対応する素片Ｐの系列を共通のテンポＴで再生したが、素片Ｐの再生のテンポを素片環Ｃ毎に個別に設定してもよい。各素片環Ｃ毎にテンポを制御することで、複雑かつ多様な再生音を生成することが可能となる。
【００５３】
（７）変形例７  
以上の形態においては各楽曲の素片Ｐを同等の時間長に調整したが、各素片Ｐを原曲での時間長のまま使用してもよい。各素片Ｐの時間長が区々である構成において、再生の対象となる素片Ｐの時間長が素片データＡの再生の周期（テンポＴに応じた時間長）と比較して短い場合、当該素片Ｐの素片データＡの再生の終了後から次の素片データＡの再生の開始までの区間を無音とする構成が例えば採用される。また、再生の対象となる素片Ｐの時間長が再生の周期と比較して長い場合、当該素片Ｐの素片データＡのうち再生の周期を超えた部分と次の素片データＡとをクロスフェードさせる構成が例えば採用される。
【００５４】
（８）変形例８  
以上の形態においては楽音の再生に再生装置１００を利用したが、再生装置１００は動画像の再生にも利用される。すなわち、動画像（複数の静止画の時系列）を時間軸上で区分した複数の区間を素片Ｐとし、各素片Ｐ内の静止画を表す素片データＡと当該素片Ｐの特徴量Ｆ（例えば明度や空間周波数）とを動画像毎に記憶装置２０に格納する。素片環Ｃの生成（図４のステップＳ2〜ステップＳ4）や各単位図柄ＧUに対する素片Ｐの割り当て（図４のステップＳ6〜ステップＳ8）は以上の形態と同様である。再生部１６は、単位図柄ＧUに対応する素片Ｐの素片データＡを、素片環Ｃにおける各単位図柄ＧUの配列の順番で順次に表示装置３４に出力する。表示装置３４は、素片データＡが表す画像を素片選択画面５１や再生状態画面５３とは別の領域に表示する。以上の構成によれば、各素片Ｐの画像が順次に表示されることでビデオジョッキー（ＶＪ：Video Jockey）と同様の視覚的な効果が得られる。なお、各素片Ｐの画像を単位図柄ＧU内に表示する構成も採用される。
【図面の簡単な説明】
【００５５】
【図１】本発明の実施形態に係る再生装置の構成を示すブロック図である。
【図２】楽曲の素片について説明するための概念図である。
【図３】表示装置による表示例を示す概念図である。
【図４】制御装置の動作を示すフローチャートである。
【図５】素片環の作成および素片の割り当てについて説明するための概念図である。
【図６】再生中の素片環の表示例（第１モード）を示す概念図である。
【図７】再生中の素片環の表示例（第２モード）を示す概念図である。
【図８】変形例に係る素片環の表示例を示す概念図である。
【符号の説明】
【００５６】
１００……再生装置、１０……制御装置、１２……表示制御部、１４……素片割当部、１６……再生部、２０……記憶装置、３２……入力装置、３４……表示装置、３６……放音装置、Ｐ……素片、Ａ……素片データ、Ｆ……特徴量、５１……素片選択画面、５３……再生状態画面、５３２……作業領域、５３４……操作領域、ＧP……素片図柄、Ｌ……素片列、Ｂ（Ｂ1〜Ｂ5）……操作子、Ｃ……素片環、Ｄ……指示体、ＧU……単位図柄。
【図１】
0004877166.tif 000002
【図２】
0004877166.tif 000003
【図３】
0004877166.tif 000004
【図４】
0004877166.tif 000005
【図５】
0004877166.tif 000006
【図６】
0004877166.tif 000007
【図７】
0004877166.tif 000008
【図８】
0004877166.tif 000009